(57)【要約】【課題】鏡面の傾斜角度を適切に検出する。【解決手段】車両用のミラーであって、鏡面と、鏡面と平行な軸を中心に傾動可能な板状体であり、鏡面の裏面に取り付けられたプレートピボット１１０と、当該軸を中心にプレートピボット１１０を傾けることにより、鏡面を傾けるアクチュエータと、円弧状に湾曲した抵抗１３０と、プレートピボット１１０に対して固定されており、プレートピボット１１０の傾動に伴って円弧運動をすることにより、抵抗１３０上を摺動する接点１２８と、抵抗１３０の一端と接点１２８との間の抵抗値に基づき、鏡面の傾斜角度に応じた信号を出力する信号出力部とを備える。【選択図】図３
2006096131.tif 000002
【特許請求の範囲】
【請求項１】
車両用のミラーであって、
鏡面と、
自身と共に前記鏡面を傾動させることにより、前記鏡面を傾けるプレートピボットであって、前記鏡面と平行な軸を中心に傾動可能な板状体であり、前記鏡面の裏面に取り付けられたプレートピボットと、
前記軸を中心に前記プレートピボットを傾けることにより、前記鏡面を傾けるアクチュエータと、
円弧状に湾曲した抵抗と、
前記プレートピボットに対して固定されており、前記プレートピボットの傾動に伴って円弧運動をすることにより、前記抵抗上を摺動する接点と、
前記抵抗の一端と前記接点との間の抵抗値に基づき、前記鏡面の傾斜角度に応じた信号を出力する信号出力部と
を備えることを特徴とするミラー。
【請求項２】
前記プレートピボットを挟んで前記鏡面の裏面と対向するように、前記プレートピボットを覆うハウジングであって、前記プレートピボットとほぼ平行な底面部と、傾動する前記プレートピボットの側面に当接して当該側面を案内する曲面状の側壁部とを有するハウジングを更に備え、
前記抵抗は、前記ハウジングの前記側壁部上に設けられたことを特徴とする請求項１に記載のミラー。
【請求項３】
前記プレートピボットは、
前記鏡面とほぼ平行な板状体部分と、
前記ハウジングの前記側壁部と当接することによって、前記側壁部に案内される当接部であって、前記板状体部分の縁部における一部を除いた部分から、前記ハウジングの前記側壁部に沿うように延伸する当接部と
を有し、
前記接点は、前記プレートピボットの前記板状体部分の縁部における、前記当接部が形成されていない部分に設けられたことを特徴とする請求項２に記載のミラー。
【請求項４】
前記抵抗は、フィルム状の抵抗体であることを特徴とする請求項１から３のいずれかに記載のミラー。
【請求項５】
前記抵抗は、可とう性の部材上へ抵抗体を印刷することにより形成されたことを特徴とする請求項１から４のいずれかに記載のミラー。
【請求項６】
車両用ミラーの鏡面の傾斜角度を検出する角度検出装置であって、
自身と共に前記鏡面を傾動させることにより、前記鏡面を傾けるプレートピボットであって、前記鏡面と平行な軸を中心に傾動可能な板状体であり、前記鏡面の裏面に取り付けられたプレートピボットと、
前記軸を中心に前記プレートピボットを傾けることにより、前記鏡面を傾けるアクチュエータと、
円弧状に湾曲した抵抗と、
前記プレートピボットに対して固定されており、前記プレートピボットの傾動に伴って円弧運動をすることにより、前記抵抗上を摺動する接点と
前記抵抗の一端と前記接点との間の抵抗値に基づき、前記鏡面の傾斜角度に応じた信号を出力する信号出力部と
を備えることを特徴とする角度検出装置。
【発明の詳細な説明】
【技術分野】
【０００１】
本発明は、ミラー及び角度検出装置に関する。特に、本発明は、車両用アウターミラー、及び車両用アウターミラーの鏡面の傾斜角度を検出する角度検出装置に関する。
【背景技術】
【０００２】
車両用アウターミラーには、良好な後方視界が得られるように、鏡面の傾斜角度を調整する角度調整装置を備えたものがある。このような車両用アウターミラーでは、運転者の視認位置に合わせて鏡面の傾斜角度を調整できる。しかし、運転者の交代の都度、微妙な角度を調整し直すのは煩雑であるため、各運転者に適した傾斜角度を再現できるようにしておくことが望まれる。
【０００３】
従来、鏡面の傾斜角度を再現すべく、傾斜角度を検出するための角度検出装置は種々提案されている。例えば、抵抗体と、鏡面の変異（傾動）に合わせて抵抗体を摺動する摺動接点とを設けた角度検出装置が提案されている。これによれば、鏡面の傾動に合わせて摺動接点が移動し、電圧値が変化するので、この電圧値を検出することで鏡面の傾斜角度を検出できる（例えば、特許文献１参照）。
【特許文献１】特開平１０−２６４７２６号公報
【発明の開示】
【発明が解決しようとする課題】
【０００４】
特許文献１に記載されたミラー位置検出装置（角度検出装置）において、摺動接点（接点部材）は、ナットアジャストの進退動作に伴って、抵抗体基板上を、鏡面の厚み方向にスライドする。そのため、このような構成においては、抵抗体基板を設けるために、鏡面の厚み方向にスペースを確保する必要がある。
【０００５】
例えば、抵抗体基板上の抵抗体の長さをＳ、接点部材の長さをＬとした場合、余裕分のスペースαを考慮すれば、抵抗体基板を設けるための鏡面の厚み方向へのスペースを、Ｓ＋Ｌ＋α以上確保する必要がある。そのため、従来、角度検出装置を鏡面の厚み方向に小型化するのが困難な場合があった。
【０００６】
そこで、本発明は、上記の課題を解決できるミラー及び角度検出装置を提供することを目的とする。
【課題を解決するための手段】
【０００７】
上記の課題を解決するために、本発明は、以下の構成を有する。
（構成１）車両用のミラーであって、鏡面と、自身と共に鏡面を傾動させることにより、鏡面を傾けるプレートピボットであって、鏡面と平行な軸を中心に傾動可能な板状体であり、鏡面の裏面に取り付けられたプレートピボットと、当該軸を中心にプレートピボットを傾けることにより、鏡面を傾けるアクチュエータと、円弧状に湾曲した抵抗と、プレートピボットに対して固定されており、プレートピボットの傾動に伴って円弧運動をすることにより、抵抗上を摺動する接点と、抵抗の一端と接点との間の抵抗値に基づき、鏡面の傾斜角度に応じた信号を出力する信号出力部とを備える。
【０００８】
このように構成すれば、鏡面の傾斜角度を適切に検出できる。また、接点と共に可変抵抗を構成する抵抗として、円弧状に湾曲した抵抗を用いることにより、抵抗を設けるために必要なスペースを、鏡面の厚み方向について節約できる。そのため、鏡面の傾斜角度を検出するための角度検出装置、及びミラーを、鏡面の厚み方向に小型化できる。
尚、鏡面の裏面とは、鏡面において反射面と反対の方向を向く面である。抵抗を設ける位置は、アクチュエータの内部及び外部のいずれにも限定されない。抵抗は、例えば、鏡面、ミラーホルダ、プレートピボット、ハウジング等のミラーの構成部品のいずれかの上に配置されてよい。
【０００９】
（構成２）プレートピボットを挟んで鏡面の裏面と対向するように、プレートピボットを覆うハウジングであって、プレートピボットとほぼ平行な底面部と、傾動するプレートピボットの側面に当接して当該側面を案内する曲面状の側壁部とを有するハウジングを更に備え、抵抗は、ハウジングの側壁部上に設けられている。
このように構成すれば、ハウジングの側壁部によりプレートピボットの側面を案内することにより、例えば車両の高速走行中等にミラーが振動を受けている場合であっても、プレートピボットを安定して傾動させることができる。また、ハウジングの側壁部における曲面を利用して、抵抗を適切に湾曲させることができる。更には、ハウジングの底面部がプレートピボットとほぼ平行であるため、鏡面の厚み方向のスペースを節約できる。そのため、ハウジングを、鏡面の厚み方向に小型化できる。
尚、ハウジングは、プレートピボットの裏側から、プレートピボットを覆う。プレートピボットの裏側とは、プレートピボットにおいて、鏡面の反射面と反対側を向く面である。
【００１０】
（構成３）プレートピボットは、鏡面とほぼ平行な板状体部分と、ハウジングの側壁部と当接することによって、側壁部に案内される当接部であって、板状体部分の縁部における一部を除いた部分から、ハウジングの側壁部に沿うように延伸する当接部とを有し、接点は、プレートピボットの板状体部分の縁部における、当接部が形成されていない部分に設けられている。このように構成すれば、抵抗上を摺動しつつ円弧運動をする接点を、適切に設けることができる。
【００１１】
（構成４）抵抗は、フィルム状の抵抗体である。
（構成５）抵抗は、可とう性の部材上へ抵抗体を印刷することにより形成されている。
このように構成すれば、抵抗を適切に湾曲させることができる。そのため、スペース効率よく抵抗を配置することができる。
【００１２】
尚、湾曲した抵抗を用いない場合には、例えばガラスエポキシやフェノール等の平面状の基板上へ抵抗体を印刷して抵抗を形成することも考えられる。しかし、このような抵抗を用いた場合には、鏡面の厚み方向にスペースを確保する必要が生じ、スペース効率よく抵抗を配置するのは困難である。
【００１３】
（構成６）車両用ミラーの鏡面の傾斜角度を検出する角度検出装置であって、自身と共に鏡面を傾動させることにより、鏡面を傾けるプレートピボットであって、鏡面と平行な軸を中心に傾動可能な板状体であり、鏡面の裏面に取り付けられたプレートピボットと、当該軸を中心にプレートピボットを傾けることにより、鏡面を傾けるアクチュエータと、円弧状に湾曲した抵抗と、プレートピボットに対して固定されており、プレートピボットの傾動に伴って円弧運動をすることにより、抵抗上を摺動する接点と、抵抗の一端と接点との間の抵抗値に基づき、鏡面の傾斜角度に応じた信号を出力する信号出力部とを備える。このように構成すれば、構成１と同様の効果を得ることができる。
【発明の効果】
【００１４】
本発明によれば、鏡面の傾斜角度を適切に検出できる。
【発明を実施するための最良の形態】
【００１５】
以下、本発明に係る実施形態を、図面を参照しながら説明する。
図１は、本発明の一実施形態に係るサイドミラー１０の構成の一例を示す分解斜視図である。サイドミラー１０は、自動車等の車両用のアウターミラーであり、カバー１８、鏡面１２、フレーム１６、及びミラー角度調整装置１４を備える。
【００１６】
カバー１８は、サイドミラー１０の外側を覆うミラーボデーであり、フレーム１６及びミラー角度調整装置１４を内部に収容する。また、カバー１８は、車両の後方側に開口部を有し、この開口部に、鏡面１２を、傾動可能に保持する。鏡面１２は、反射面を車両の後方に向けて、カバー１８の開口部に取り付けられる。
【００１７】
フレーム１６は、カバー１８に固定された基台であり、ミラー角度調整装置１４を、鏡面１２の裏面に向けて保持する。鏡面１２の裏面とは、鏡面１２において反射面と反対の方向を向く面である。
【００１８】
ミラー角度調整装置１４は、鏡面１２を傾ける駆動装置である。本例において、ミラー角度調整装置１４は、鏡面１２の傾斜角度を検出する角度検出装置の機能を更に有しており、予め記憶した記憶値と角度の検出値とが一致するように鏡面１２を傾けることにより、鏡面１２の傾斜角度を調整する。このように構成すれば、サイドミラー１０を、予め記憶した運転者の視認位置に合わせて鏡面の傾斜角度を調整するミラー（メモリミラー）として機能させることができる。
【００１９】
図２及び図３は、ミラー角度調整装置１４の構成の一例を示す。図２は、ミラー角度調整装置１４を示す分解斜視図である。図３は、ミラー角度調整装置１４の要部を示す断面図である。本例において、ミラー角度調整装置１４は、ハウジング１２０、抵抗１３０、プレートピボット１１０、接点１２８、アクチュエータ１００、及び基板１１８を有する。
【００２０】
ハウジング１２０は、アクチュエータ１００及び基板１１８を内部に収容するお椀型の筐体である。また、ハウジング１２０は、開口部にプレートピボット１１０を保持することにより、プレートピボット１１０を挟んで鏡面１２（図１参照）と対向するように、プレートピボット１１０の裏面及び側面を覆う。
【００２１】
本例において、ハウジング１２０は、プレートピボット１１０とほぼ平行な底面部２１０と、プレートピボット１１０の側面を覆うように底面部２１０から延伸して形成された側壁部２０２とを有する。側壁部２０２は、傾動するプレートピボット１１０の側面に当接して当該側面を案内するように、曲面状に形成されている。側壁部２０２は、所定の曲率で湾曲する球面状の壁面であってよい。
【００２２】
抵抗１３０は、例えば可とう性の部材上へ抵抗体を印刷することにより形成された、フィルム状の抵抗体であり、側壁部２０２に沿って底面部２１０からハウジング１２０の開口部に向かう方向に延伸するように、ハウジング１２０の側壁部２０２上に貼り付けられている。このようにして、抵抗１３０は、側壁部２０２の曲面に従って円弧状に湾曲した状態で、プレートピボット１１０の側面と、ハウジング１２０の側壁部２０２との間に保持されている。
【００２３】
プレートピボット１１０は、アクチュエータ１００の動力に応じて傾動する板状体であり、鏡面１２とほぼ平行な状態を保つように、鏡面１２の裏面を保持する。本例において、プレートピボット１１０は、鏡面１２と平行な軸を中心に傾動可能に、鏡面１２の裏面に取り付けられる。このような構成により、プレートピボット１１０は、自身と共に鏡面１２を傾動させて、鏡面１２を傾ける。
【００２４】
また、本例において、プレートピボット１１０は、鏡面とほぼ平行な板状体部分２１２に加え、当接部２０６及び接点保持部２０８を更に有する。当接部２０６は、板状体部分２１２の縁部における一部を除いた部分から、ハウジング１２０の側壁部２０２に沿うように延伸する部分である。このように構成されることにより、プレートピボット１１０が傾動する場合に、当接部２０６は、側壁部２０２と当接することによって、側壁部２０２に案内される。接点保持部２０８は、接点１２８を保持するための部材であり、当接部２０６の隙間から側壁部２０２上の抵抗１３０に向かって、接点１２８を突出させる。
【００２５】
接点１２８は、抵抗１３０上を摺動することにより、抵抗１３０と共に可変抵抗を構成する接点である。接点１２８は、例えば薄板状の金属により形成される。また、接点１２８の先端部は、断面が鈎状になるように形成されている。このように構成すれば、接点１２８を、弾性的に抵抗１３０と接触させることができる。また、本例において、接点１２８は、板状体部分２１２の縁部における、当接部２０６が形成されていない部分に設けられており、接点保持部２０８により、プレートピボット１１０に対して固定されている。
【００２６】
アクチュエータ１００は、プレートピボット１１０を、水平方向回転軸及び垂直方向回転軸のそれぞれに対して傾動させる。プレートピボット１１０の水平方向回転軸とは、例えば、プレートピボット１１０を傾動させるための、鏡面１２と平行かつ水平方向の軸である。プレートピボット１１０の垂直方向回転軸とは、例えば、プレートピボット１１０を傾動させるための、鏡面１２と平行かつ垂直（鉛直）方向の軸である。アクチュエータ１００は、これらの軸を中心にプレートピボット１１０を傾けることにより、鏡面１２を傾ける。アクチュエータ１００は、例えば、図３に示すように、水平方向回転軸又は垂直方向回転軸である軸２０４を中心に、プレートピボット１１０を傾動させる。
【００２７】
基板１１８は、周辺電子回路が実装された基板である。本例において、基板１１８には、信号出力部１２４が設けられている。信号出力部１２４は、接点１２８及び抵抗１３０により構成される可変抵抗の抵抗値に基づき、鏡面１２の傾斜角度に応じた信号を、サイドミラー１０（図１参照）の外部に出力する。この可変抵抗の抵抗値とは、例えば、抵抗１３０の一端と接点１２８との間の抵抗値である。このように構成すれば、鏡面１２の傾斜角度を、適切に検出できる。また、湾曲した抵抗１３０を用いた可変抵抗を利用することにより、ミラー角度調整装置１４を、鏡面１２の厚み方向に小型化できる。
【００２８】
図４は、ミラー角度調整装置１４の動作を説明する図である。図４（ａ）は、プレートピボット１１０の傾動に伴う接点１２８の動きを示す。尚、図４（ａ）においては、説明を簡単にするために、例えばプレートピボット１１０の当接部２０６等を省略して、各構成を簡略化して示している。
【００２９】
図に示すように、プレートピボット１１０が、軸２０４を中心に傾動した場合、接点１２８は、プレートピボット１１０の傾動に伴って円弧運動をする。そして、この円弧運動により、接点１２８は、抵抗１３０上を摺動する。そのため、接点１２８は、鏡面１２の傾斜角度に応じて、抵抗１３０上の位置を変更することとなる。
【００３０】
図４（ｂ）は、抵抗１３０及び接点１２８により構成される可変抵抗３００の機能を説明する図である。本例において、抵抗１３０の一端は接地され、他端は所定の電源電位に接続されている。また、可変抵抗３００は、抵抗１３０の一端と接点１２８との間の電圧を、信号出力部１２４に出力する。この構成において、接点１２８が抵抗１３０上を摺動すると、抵抗１３０の一端と接点１２８との間の抵抗値が変化するため、可変抵抗３００は、接点１２８の移動量に応じて、出力電圧を変化させることとなる。
【００３１】
図４（ｃ）は、可変抵抗３００の出力特性を示す。上記の構成により、可変抵抗３００は、鏡面１２の傾斜角度に応じて、信号出力部１２４に与える出力電圧を、リニアに変化させる。そのため、本例によれば、鏡面１２の傾斜角度を、適切に検出することができる。
【００３２】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００３３】
本発明は、例えば車両用アウターミラーに好適に利用できる。
【図面の簡単な説明】
【００３４】
【図１】本発明の一実施形態に係るサイドミラー１０の構成の一例を示す分解斜視図である。
【図２】ミラー角度調整装置１４を示す分解斜視図である。
【図３】ミラー角度調整装置１４の要部を示す断面図である。
【図４】ミラー角度調整装置１４の動作を説明する図である。  図４（ａ）は、プレートピボット１１０の傾動に伴う接点１２８の動きを示す図である。  図４（ｂ）は、抵抗１３０及び接点１２８により構成される可変抵抗３００の機能を説明する図である。  図４（ｃ）は、可変抵抗３００の出力特性を示す図である。
【符号の説明】
【００３５】
１０・・・サイドミラー、１２・・・鏡面、１４・・・角度検出装置（ミラー角度調整装置）、１６・・・フレーム、１８・・・カバー、１００・・・アクチュエータ、１１０・・・プレートピボット、１１８・・・基板、１２０・・・ハウジング、１２４・・・信号出力部、１２８・・・接点、１３０・・・抵抗、２０２・・・側壁部、２０４・・・軸、２０６・・・当接部、２０８・・・接点保持部、２１０・・・底面部、２１２・・・板状体部分、３００・・・可変抵抗
【図１】
2006096131.tif 000003
【図２】
2006096131.tif 000004
【図３】
2006096131.tif 000005
【図４】
2006096131.tif 000006